(57)【要約】【課題】黒色を表示したときの黒浮きを抑えることができる表示装置を提供すること。【解決手段】本発明の表示装置は、表示領域と前記表示領域の周辺に設けられた非表示領域とを有する液晶表示装置と、前記液晶表示装置に重ねて配置され前記液晶表示装置を覆う液晶シャッタと、を備え、前記液晶シャッタは、前記表示領域の内側に表示される画像の形状に対応する画像領域を透過状態および非透過状態のいずれかに設定するとともに、前記画像領域の周辺に設けられた非画像領域を不透過状態に設定することを特徴とする。【選択図】図４
2017142327.tif 000002
【特許請求の範囲】
【請求項１】
表示領域と非表示領域を形成する液晶表示装置と、前記液晶表示装置の前方に重ねて配置された液晶シャッタとを有する表示装置において、
前記液晶シャッタには、液晶層と、前記液晶層を挟む上側電極と下側電極とを有しており、
前記表示領域の前方に位置する前記上側電極と前記下側電極との対向部で前記液晶層が透過状態に設定され、前記非表示領域の前方に位置する前記上側電極部と前記下側電極との対向部で前記液晶層が不透過状態に設定されることを特徴とする表示装置。
【請求項２】
前記液晶表示装置は、前記表示領域と、前記表示領域の周囲の全域を囲む前記非表示領域を形成するものであり、前記表示領域の前方に位置する前記上側電極部と前記下側電極部の電位が前記液晶層を透過状態にできるように設定され、前記表示領域を囲む前記非表示領域の前方に位置する前記上側電極部と前記下側電極部の電位が前記液晶層を不透過状態とするように設定される請求項１記載の表示装置。
【請求項３】
前記表示領域から前記非表示領域に延びる第１の下部電極（１１７Ａ）と、前記第１の下部電極（１１７Ａ）を囲む第２の下部電極（１１７Ｂ）と、前記表示領域から前記非表示領域に延びる第２の上部電極（１１６Ｂ）と、前記非表示領域において、前記第１の下部電極（１１７Ａ）に対向する第１の上部電極（１１６Ａ）が設けられている請求項２記載の表示装置。
【請求項４】
前記表示領域の前方に位置する第１の下部電極（１１７Ａ）と、同じく前記表示領域の前方に位置する第３の下部電極（１１７Ｃ）と、前記表示領域から前記非表示領域に延びる第２の上部電極（１１６Ｂ）が設けられており、前記第２の上部電極（１１６Ｂ）が、第１の下部電極（１１７Ａ）と第３の下部電極（１１７Ｃ）の双方に対向している請求項２記載の表示装置。
【請求項５】
表示領域と非表示領域を形成する液晶表示装置と、前記液晶表示装置の前方に重ねて配置された液晶シャッタとを有する表示装置において、
前記液晶シャッタには、液晶層と、前記液晶層を挟む上側電極と下側電極とが設けられ、
前記表示領域の前方で、前記上側電極と前記下側電極とが対向し、前記非表示領域の前方には、いずれの電極も存在していない、または前記上側電極と前記下側電極の一方のみが存在している請求項１記載の表示装置。
【請求項６】
前記上側電極と前記下側電極との対向部で、前記上側電極と前記下側電極の少なくとも一方が複数の電極に区分されている請求項５記載の表示装置。
【請求項７】
前記上部電極から延びる引出し配線と、前記下部電極から延びる引出し配線が、互いに重なることのない領域に形成されている請求項５または６記載の表示装置。
【発明の詳細な説明】
【技術分野】
【０００１】
本発明は、液晶表示部材とその前方に設けられた液晶シャッタとを有する表示装置に関する。
【背景技術】
【０００２】
液晶表示装置は、偏光板を用いてバックライトから放出された光の透過率を制御する。しかし、液晶表示装置の液晶パネルは、バックライトから放出された光を完全に遮断することはできない。そのため、液晶表示装置は、黒色を表示しても、バックライトから放出された光の一部が漏れることにより黒色を表示できないという問題がある。すなわち、いわゆる黒浮きの問題が生ずる。また、黒浮きが生ずると、コントラスト比を高めることが困難であるという問題がある。
【０００３】
これに対して、特許文献１には、特定の表示部を隠蔽するシャッター装置がその特定の表示部の前方に設けられた車両表示装置が開示されている。特許文献１に記載された車両表示装置によれば、特定の表示部を隠蔽して車両の走行に必要な表示部のみを表示することができる。これにより、デジタル表示を採用しても、運転者に与えるギラツキ感を抑えることができる。
【先行技術文献】
【特許文献】
【０００４】
【特許文献１】特公昭６２−３４２９号公報
【発明の概要】
【発明が解決しようとする課題】
【０００５】
しかし、特許文献１に開示された車両表示装置では、シャッター装置が特定の表示部の前方のみに設けられているため、非動作時において、特定の表示部の色が車両の走行に必要な表示部の色と同じにはならないという問題がある。
【０００６】
例えば、非動作時に表示エリアの色が非表示エリアの色と同じになり、動作開始時に表示内容が表示エリアに徐々に浮き出るようにしたいという要望がある（フェードイン）。あるいは、動作終了時に表示内容が表示エリアから徐々に消えていって、非動作時に表示エリアの色が非表示エリアの色と同じになるようにしたいという要望がある（フェードアウト）。すなわち、非動作時に表示エリアの色を非表示エリアの色と同じにして、表示エリアと非表示エリアとの間の境界を見えないようにしたいという要望がある。
【０００７】
また、車両の走行に必要な表示部の前方には、シャッター装置が設けられていないため、車両の走行に必要な表示部では黒浮きの問題が生ずる。そのため、コントラスト比を高めることが困難であるという問題がある。
【０００８】
本発明は、上記従来の課題を解決するためのものであり、黒色を表示したときの黒浮きを抑えることができる表示装置を提供することを目的とする。
【課題を解決するための手段】
【０００９】
本発明は、表示領域と非表示領域を形成する液晶表示装置と、前記液晶表示装置の前方に重ねて配置された液晶シャッタとを有する表示装置において、
前記液晶シャッタには、液晶層と、前記液晶層を挟む上側電極と下側電極とを有しており、
前記表示領域の前方に位置する前記上側電極と前記下側電極との対向部で前記液晶層が透過状態に設定され、前記非表示領域の前方に位置する前記上側電極部と前記下側電極との対向部で前記液晶層が不透過状態に設定されることを特徴とするものである。
【００１０】
本発明の表示装置によれば、液晶シャッタが液晶表示装置に重ねて配置され、液晶表示装置を覆っている。液晶シャッタは、表示領域の内側に表示される画像の形状に対応する画像領域を透過状態および非透過状態のいずれかに設定するとともに、画像領域の周辺に設けられた非画像領域を不透過状態に設定する。そのため、液晶シャッタは、液晶表示装置が黒色を表示する非画像領域を不透過状態に設定し、非画像領域の黒浮きを抑えることができる。非画像領域の黒浮きを抑えることができるため、画像領域と非画像領域との間のコントラスト比を高めることができる。また、コントラスト比を高めることができるため、例えば装飾パーツなどを使用しなくとも、奥行き感や立体表現を実現することができる。
【００１１】
さらに、液晶シャッタは、画像領域を透過状態および非透過状態のいずれかに設定する一方で、非画像領域を不透過状態に設定する。そのため、画像領域が非透過状態に設定されたときの画像領域の色を非画像領域の色と同じにすることができる。
【００１２】
本発明の表示装置は、前記液晶表示装置は、前記表示領域と、前記表示領域の周囲の全域を囲む前記非表示領域を形成するものであり、前記表示領域の前方に位置する前記上側電極部と前記下側電極部の電位が前記液晶層を透過状態にできるように設定され、前記表示領域を囲む前記非表示領域の前方に位置する前記上側電極部と前記下側電極部の電位が前記液晶層を不透過状態とするように設定される。
【００１３】
または、本発明の表示装置は、前記表示領域から前記非表示領域に延びる第１の下部電極（１１７Ａ）と、前記第１の下部電極（１１７Ａ）を囲む第２の下部電極（１１７Ｂ）と、前記表示領域から前記非表示領域に延びる第２の上部電極（１１６Ｂ）と、前記非表示領域において、前記第１の下部電極（１１７Ａ）に対向する第１の上部電極（１１６Ａ）が設けられている。
【００１４】
さらに、前記表示領域の前方に位置する第１の下部電極（１１７Ａ）と、同じく前記表示領域の前方に位置する第３の下部電極（１１７Ｃ）と、前記表示領域から前記非表示領域に延びる第２の上部電極（１１６Ｂ）が設けられており、前記第２の上部電極（１１６Ｂ）が、第１の下部電極（１１７Ａ）と第３の下部電極（１１７Ｃ）の双方に対向しているものとすることが可能である。
【００１５】
これらによれば、上側電極および下側電極の少なくともいずれかは、表示領域の内側において複数の領域に分割されている。そのため、複数の領域に対して選択的に電位差を有する電圧を印加することにより、黒色の表示領域の中に液晶表示装置が表示する画像を浮き立たせることができる。また、上側電極および下側電極が画像領域および非画像領域に設けられているため、液晶の厚さを均一にすることができる。これにより、表示領域における色むらを抑えることができる。
【００１６】
次に、本発明は、表示領域と非表示領域を形成する液晶表示装置と、前記液晶表示装置の前方に重ねて配置された液晶シャッタとを有する表示装置において、
前記液晶シャッタには、液晶層と、前記液晶層を挟む上側電極と下側電極とが設けられ、
前記表示領域の前方で、前記上側電極と前記下側電極とが対向し、前記非表示領域の前方には、いずれの電極も存在していない、または前記上側電極と前記下側電極の一方のみが存在しているものである。
【００１７】
例えば、前記上側電極と前記下側電極との対向部で、前記上側電極と前記下側電極の少なくとも一方が複数の電極に区分されている。
【００１８】
また本発明の表示装置は、前記上部電極から延びる引出し配線と、前記下部電極から延びる引出し配線が、互いに重なることのない領域に形成されていることが好ましい。
【００１９】
これによれば、非画像領域には、上側電極および下側電極が設けられていない部分が存在する。上側電極および下側電極が設けられていない部分には電圧が印加されないため、その部分に対応する液晶は駆動しない。そのため、上側電極および下側電極が設けられていない部分には、黒色が表示される。これにより、黒色の表示領域の中に液晶表示装置が表示する画像を浮き立たせることができる。また、上側電極および下側電極が設けられていない部分が存在するため、上側電極と下側電極との間の静電容量を抑えることができる。
【発明の効果】
【００２０】
本発明によれば、黒色を表示したときの黒浮きを抑えることができる表示装置を提供することが可能になる。
【図面の簡単な説明】
【００２１】
【図１】本実施形態に係る表示装置の要部構成を表すブロック図である。
【図２】本実施形態の液晶シャッタおよび液晶表示装置の要部構成を表す模式的断面図である。
【図３】本実施形態のシャッタ液晶セルの要部構成を表す模式的断面図である。
【図４】上側透明電極と、下側透明電極と、液晶表示装置と、の関係の例を表す模式的平面図である。
【図５】上側透明電極と、下側透明電極と、液晶表示装置と、の関係の他の例を表す模式的平面図である。
【図６】上側透明電極と、下側透明電極と、液晶表示装置と、の関係のさらに他の例を表す模式的平面図である。
【図７】上側透明電極と、下側透明電極と、液晶表示装置と、の関係のさらに他の例を表す模式的平面図である。
【図８】上側透明電極と、下側透明電極と、液晶表示装置と、の関係のさらに他の例を表す模式的平面図である。
【図９】上側透明電極と、下側透明電極と、液晶表示装置と、の関係のさらに他の例を表す模式的平面図である。
【図１０】上側透明電極と、下側透明電極と、液晶表示装置と、の関係のさらに他の例を表す模式的平面図である。
【図１１】上側透明電極と、下側透明電極と、液晶表示装置と、の関係のさらに他の例を表す模式的平面図である。
【発明を実施するための形態】
【００２２】
以下、本発明の実施の形態について図面を参照しつつ説明する。なお、各図面中、同様の構成要素には同一の符号を付して詳細な説明は適宜省略する。
図１は、本実施形態に係る表示装置の要部構成を表すブロック図である。
図２は、本実施形態の液晶シャッタおよび液晶表示装置の要部構成を表す模式的平面図である。
図３は、本実施形態のシャッタ液晶セルの要部構成を表す模式的平面図である。
【００２３】
図１に表したように、本実施形態に係る表示装置１０は、液晶シャッタ１００と、液晶表示装置２００と、オプティカルカップリング４００と、を備える。液晶シャッタ１００は、オプティカルカップリング４００を介して液晶表示装置２００に重ねて配置され、液晶表示装置２００を覆っている。
【００２４】
液晶シャッタ１００には、交流化電源３１０を介して電源３２０が接続されている。交流化電源３１０は、電源３２０から供給された電圧を所定の交流化電圧に変換し、液晶シャッタ１００の動作に必要な電圧を供給する。これにより、液晶シャッタ１００は、所定の領域を透過状態に設定したり、不透過状態に設定したりする。この詳細については、後述する。液晶表示装置２００には、電源３３０が接続されている。電源３３０は、液晶表示装置２００の動作に必要な電圧を供給する。
【００２５】
図２に表したように、液晶シャッタ１００は、シャッタ液晶セル１１０と、第１の偏光板１２０と、第２の偏光板１３０と、表面処理層１４０と、を有する。シャッタ液晶セル１１０は、例えばＶＡ（Virtical Alignment）液晶セルである。なお、シャッタ液晶セル１１０は、ＶＡ液晶セルには限定されない。
【００２６】
シャッタ液晶セル１１０は、第１の偏光板１２０と、第２の偏光板１３０と、の間に設けられている。図３に表したように、シャッタ液晶セル１１０は、液晶層１１１と、上側配向膜１１２と、下側配向膜１１３と、上側オーバーコート層１１４と、下側オーバーコート層１１５と、上側透明電極（上側電極）１１６と、下側透明電極（下側電極）１１７と、上側ガラス１１８と、下側ガラス１１９と、を有する。
【００２７】
液晶層１１１は、上側配向膜１１２と、下側配向膜１１３と、の間に設けられている。液晶層１１１、上側配向膜１１２および下側配向膜１１３は、上側オーバーコート層１１４と、下側オーバーコート層１１５と、の間に設けられている。液晶層１１１、上側配向膜１１２、下側配向膜１１３、上側オーバーコート層１１４および下側オーバーコート層１１５は、上側透明電極１１６と、下側透明電極１１７と、の間に設けられている。液晶層１１１、上側配向膜１１２、下側配向膜１１３、上側オーバーコート層１１４、下側オーバーコート層１１５、上側透明電極１１６および下側透明電極１１７は、上側ガラス１１８と、下側ガラス１１９と、の間に設けられている。
【００２８】
上側透明電極１１６および下側透明電極１１７は、透明導電性材料により形成されている。透明導電性材料としては、例えばＩＴＯ、ＳｎＯ２、ＺｎＯなどが挙げられる。あるいは、透明導電性材料としては、銀ナノワイヤに代表される金属ナノワイヤ、メッシュ状に形成された薄い金属、あるいは導電性ポリマーなどが挙げられる。上側透明電極１１６および下側透明電極１１７は、導電性インクでスクリーン印刷により形成されてもよい。あるいは、上側透明電極１１６および下側透明電極１１７は、感光型導電性シート（いわゆる、ドライフィルムレジストに導電層を有したシート）によって形成されてもよい。
【００２９】
第１の偏光板１２０は、シャッタ液晶セル１１０からみて液晶表示装置２００とは反対の側に設けられている。第２の偏光板１３０は、シャッタ液晶セル１１０と液晶表示装置２００との間に設けられている。第１の偏光板１２０の透過軸の角度は、第２の偏光板１３０の透過軸の角度に対して直交している。
【００３０】
表面処理層１４０は、第１の偏光板１２０からみてシャッタ液晶セル１１０とは反対側に設けられている。表面処理層１４０は、第１の偏光板１２０の表面に設けられ、指紋防止（ＡＦ：Anti-Fingerprint）コート層と、反射防止（ＡＲ：Anti-Reflection）コート層と、ハードコート（ＨＣ：Hard-Coat）層と、を含む。
【００３１】
図２に示す液晶表示装置２００は、グラフィック液晶セル２１０と、第１の偏光板２２０と、第２の偏光板２３０と、バックライト２４０と、を有する。グラフィック液晶セル２１０、第１の偏光板２２０、第２の偏光板２３０およびバックライト２４０は、例えば金属などにより形成されたケースの内部に収納されている。
【００３２】
グラフィック液晶セル２１０は、例えばＩＰＳ（In Plane Switchig：登録商標）液晶セルである。なお、グラフィック液晶セル２１０は、ＩＰＳ（登録商標）液晶セルには限定されない。
【００３３】
グラフィック液晶セル２１０は、第１の偏光板２２０と、第２の偏光板２３０と、の間に設けられている。第１の偏光板２２０の透過軸の角度は、第２の偏光板２３０の透過軸の角度に対して直交している。例えば、第１の偏光板２２０の透過軸の角度は、液晶シャッタ１００の第２の偏光板１３０の透過軸の角度と同じである。例えば、第２の偏光板２３０の透過軸の角度は、液晶シャッタ１００の第１の偏光板１２０の透過軸の角度と同じである。
【００３４】
オプティカルカップリング４００は、液晶シャッタ１００と液晶表示装置２００との間に設けられている。液晶シャッタ１００と液晶表示装置２００とは、オプティカルカップリング４００により互いに光学的に結合している。オプティカルカップリング４００としては、例えばアクリル系粘着剤や両面粘着テープ等などが挙げられる。
【００３５】
上側透明電極１１６と下側透明電極１１７との間に、所定の周波数および電位差を有する電圧がシャッタ液晶セル１１０に印加されると、シャッタ液晶セル１１０内の液晶層１１１が反応して透過状態になる。これにより、液晶シャッタ１００の所定の領域が透過状態になる。一方で、電圧の印加を解除し、上側透明電極１１６と下側透明電極１１７とを同電位に設定すると、シャッタ液晶セル１１０内の液晶層１１１が反応しない状態に戻って不透過状態になる。これにより、液晶シャッタ１００の所定の領域が不透過状態になる。これについて、図面を参照しつつさらに説明する。
【００３６】
図４は、上側透明電極と、下側透明電極と、液晶表示装置と、の関係の例を表す模式的平面図である。
【００３７】
図４（ａ）は、上側透明電極を表す模式的平面図である。図４（ｂ）は、下側透明電極を表す模式的平面図である。図４（ｃ）は、液晶表示装置の表示例を表す模式的平面図である。
【００３８】
図４（ｃ）に表したように、液晶表示装置２００は、表示領域２００Ａと、非表示領域２００Ｂと、を有する。表示領域２００Ａは、液晶を用いて各種の情報を表示可能な領域である。非表示領域２００Ｂは、表示領域２００Ａの周辺に設けられた領域であって、表示領域２００Ａに含まれる電極や駆動素子を駆動するドライバなどが含まれた領域である。非表示領域２００Ｂは、液晶シャッタ１００によって表示装置１０の利用者から遮蔽されている。すなわち、表示装置１０の利用者は、表示装置１０の表面側（図１では上側）から非表示領域２００Ｂを見ることはできない。
【００３９】
図４（ａ）に表されるように、液晶シャッタ１００は、複数箇所の画像領域１００Ａと、非画像領域１００Ｂと、を有する。それぞれの画像領域１００Ａは円形であり、液晶表示装置２００の表示領域２００Ａの内側に表示される円形の画像２０１（図４（ｃ））の形状に対応する。非画像領域１００Ｂは、画像領域１００Ａの周辺を囲むように設定されている。
【００４０】
表示領域２００Ａの動作時（液晶表示装置２００の動作時）において、液晶シャッタ１００の動作により、画像領域１００Ａが、透過状態または非透過状態のいずれかの状態に切替えられる。一方で、表示領域２００Ａの非動作時（液晶表示装置２００の非動作時）、すなわち表示領域２００Ａに画像が表示されていないときは、液晶シャッタ１００の動作により、画像領域１００Ａが不透過状態に設定される。
【００４１】
また、非画像領域１００Ｂは、表示領域２００Ａの動作時であっても非動作時であっても、液晶シャッタ１００の動作により不透過状態に設定される。これらの設定は、図１に示される交流化電源３１０から供給される交流化電圧により行われる。
【００４２】
図４（ａ）に表したように、上側透明電極１１６は、液晶層１１１の一方の側（図３では上側）に設けられ、画像領域１００Ａおよび非画像領域１００Ｂに対応する大きさに形成されている。上側透明電極１１６は、表示領域２００Ａの内側において複数の領域に分割されている。具体的には、上側透明電極１１６は、表示領域２００Ａの内側において、第１の上側電極１１６Ａと、第２の上側電極１１６Ｂと、に分割されている。第１の上側電極１１６Ａは複数箇所設けられ、それぞれの画像領域１００Ａの下側に形成されている。
【００４３】
図４（ｂ）に表したように、下側透明電極１１７は、液晶層１１１の他方の側（図３では下側）に設けられ、画像領域１００Ａおよび非画像領域１００Ｂに対応する大きさに形成されている。下側透明電極１１７は、表示領域２００Ａの内側において複数の領域に分割されている。具体的には、下側透明電極１１７は、表示領域２００Ａの内側において、第１の下側電極１１７Ａと、第２の下側電極１１７Ｂと、に分割されている。第１の下側電極１１７Ａは複数箇所設けられ、それぞれの第１の下側電極１１７Ａは、前記画像領域１００Ａと、図４（ａ）に示す第１の上側電極１１６Ａの双方を含む大きさと形状で形成されている。
【００４４】
上側透明電極１１６（第１の上側電極１１６Ａおよび第２の上側電極１１６Ｂ）と下側透明電極１１７（第１の下側電極１１７Ａおよび第２の下側電極１１７Ｂ）との間に、互いに同電位の電圧と、所定の周波数および互いに電極間に電位差を有する電圧と、が選択的に印加される。これにより、液晶シャッタ１００内の液晶層１１１が反応状態または非反応状態になる。液晶層１１１に所定の周波数および互いに電位差を有する電圧が与えられると透過状態になり、液晶層１１１を挟む電極が同電位になると、不透過状態になる。これにより、円形の画像領域１００Ａが、図４（ｃ）に示す画像２０１が表示される状態と、液晶シャッタ１００で覆われる状態とに切替えられる。
【００４５】
なお、上側透明電極１１６および下側透明電極１１７の非画像領域１００Ｂでは、第２の上側電極１１６Ｂと第２の下側電極１１７Ｂとに、同電位の電圧が常に印加される。そのため、画像領域１００Ａを囲んでいる非画像領域１００Ｂは、不透過状態を維持する。
【００４６】
具体的には、図４（ａ）に表したように、第２の上側電極１１６Ｂに第１の電圧Ｖ１が印加され、第１の上側電極１１６Ａに第２の電圧Ｖ２が印加され、図４（ｂ）に表したように、第２の下側電極１１７Ｂに第１の電圧Ｖ１が印加され、第１の下側電極１１７Ａに第２の電圧Ｖ２が印加される。このとき、第２の上側電極１１６Ｂと第１の下側電極１１７Ａとの間に互いに電位差を有する電圧が印加されるため、第２の上側電極１１６Ｂと第１の下側電極１１７Ａとが重なる画像領域１００Ａが円形の透過状態になる。これにより、液晶表示装置２００で表示されている画像２０１を、円形の画像領域１００Ａを透して目視できるようになる。
【００４７】
これに対して、第２の上側電極１１６Ｂと第２の下側電極１１７Ｂとが同電位で、第１の上側電極１１６Ａと第１の下側電極１１７Ａが同電位になる。そのため、第２の上側電極１１６Ｂと第２の下側電極１１７Ｂが重なる領域、および第１の上側電極１１６Ａと第１の下側電極１１７Ａとが重なる領域が非透過状態となり、画像２０１を囲む領域の全域が、液晶シャッタ１００で遮蔽される。
【００４８】
また、車両のエンジンを停止させたときは、上側透明電極１１６（第１の上側電極１１６Ａおよび第２の上側電極１１６Ｂ）と下側透明電極１１７（第１の下側電極１１７Ａおよび第２の下側電極１１７Ｂ）の全てに同電位が与えられ、液晶シャッタ１００は全面的に不透過状態となり、液晶表示装置２００の存在が外見では認識できなくなる。
【００４９】
本実施形態に係る表示装置１０によれば、液晶シャッタ１００が液晶表示装置２００に重ねて配置され、液晶表示装置２００を覆っている。液晶シャッタ１００は、表示領域２００Ａの内側に表示される画像２０１の形状に対応する画像領域１００Ａを透過状態および非透過状態のいずれかに設定するとともに、画像領域１００Ａの周辺に設けられた非画像領域１００Ｂを常に不透過状態に設定する。そのため、液晶シャッタ１００は、液晶表示装置２００が黒色を表示する非画像領域１００Ｂを不透過状態に設定し、非画像領域１００Ｂの黒浮きを抑えることができる。非画像領域１００Ｂの黒浮きを抑えることができるため、画像領域１００Ａと非画像領域１００Ｂとの間のコントラスト比を高めることができる。また、コントラスト比を高めることができるため、例えば装飾パーツなどを使用しなくとも、奥行き感や立体表現を実現することができる。
【００５０】
さらに、液晶シャッタ１００は、画像領域１００Ａを透過状態および非透過状態のいずれかに設定する一方で、非画像領域１００Ｂを不透過状態に設定する。そのため、車両のエンジン停止時のように画像領域１００Ａが非透過状態に設定されたときの画像領域１００Ａの色を非画像領域１００Ｂの色と同じにすることができる。これにより液晶表示装置２００の存在を目視では認識できないように設定できる。
【００５１】
また、上側透明電極１１６および下側透明電極１１７は、表示領域２００Ａの内側において複数の領域に分割されている。そのため、複数の領域に対して選択的に電位差を有する電圧を印加することにより、黒色の表示領域２００Ａの中に液晶表示装置２００が表示する画像２０１を浮き立たせることができる。また、上側透明電極１１６および下側透明電極１１７が画像領域１００Ａおよび非画像領域１００Ｂに設けられているため、液晶層１１１の厚さを均一にすることができる。これにより、表示領域２００Ａにおける色むらを抑えることができる。
【００５２】
図５は、上側透明電極と、下側透明電極と、液晶表示装置と、の関係の他の例を表す模式的平面図である。
【００５３】
図５（ａ）は、上側透明電極を表す模式的平面図である。図５（ｂ）は、下側透明電極を表す模式的平面図である。図５（ｃ）は、液晶表示装置の第１の表示例を表す模式的平面図である。
【００５４】
図５（ａ）に示すように、上側透明電極１１６は、画像領域１００Ａおよび非画像領域１００Ｂの双方に対応する大きさに形成されている。上側透明電極１１６は、表示領域２００Ａの内側において複数の領域には分割されておらず表示領域２００Ａの全ての領域に形成されている。すなわち、上側透明電極１１６は、表示領域２００Ａの内側に設けられたいわゆるべた電極である。すなわち、上側透明電極１１６は、べた電極である第２の上側電極１１６Ｂのみを有している。なお、図５（ａ）に示すように、非画像領域１００Ｂよりも下側の左右に細長い領域１１６Ｃには、上側透明電極１１６は形成されていない。
【００５５】
図５（ｂ）に表したように、下側透明電極１１７は、液晶層１１１の他方の側において画像領域１００Ａおよび非画像領域１００Ｂに設けられている。下側透明電極１１７は、表示領域２００Ａの内側において複数の領域に分割されている。具体的には、下側透明電極１１７は、表示領域２００Ａの内側において、第１の下側電極１１７Ａと、第２の下側電極１１７Ｂと、第３の下側電極１１７Ｃと、第４の下側電極１１７Ｄと、に分割されている。第１の下側電極１１７Ａは小円形で、第３の下側電極１１７Ｃは第１の下側電極１１７Ａを囲むやや大きい円形で、第４の下側電極１１７Ｄは四角形である。第２の下側電極１１７Ｂは、第３の下側電極１１７Ｃと第４の下側電極１１７Ｄを囲むように形成されている。なお、図５（ｂ）に示すように、非画像領域１００Ｂよりも下側の左右に細長い領域１１７Ｅには、下部透明電極１１７は形成されていない。
【００５６】
図５（ａ）〜図５（ｃ）に関して前述したように、上側透明電極１１６および下側透明電極１１７の画像領域１００Ａには、互いに同電位の電圧と、所定の周波数および互いに電位差を有する電圧と、が選択的に印加される。これにより、画像領域１００Ａは、透過状態または非透過状態に設定される。なお、非画像領域１００Ｂは、常に不透過状態に設定される。
【００５７】
具体的には、図５（ａ）に表したように、第１の電圧Ｖ１が第２の上側電極１１６Ｂに印加される。一方で、図５（ｂ）に表したように、第１の電圧Ｖ１が第２の下側電極１１７Ｂ、第３の下側電極１１７Ｃおよび第４の下側電極１１７Ｄに印加される。また、第２の電圧Ｖ２が第１の下側電極１１７Ａに印加される。すると、互いに電位差を有する電圧が、第２の上側電極１１６Ｂと第１の下側電極１１７Ａとの間に印加されることになる。そのため、図５（ａ）および図５（ｂ）に表したように、第２の上側電極１１６Ｂと第１の下側電極１１７Ａとの間の領域、すなわち画像２０１の形状に対応する小円形の画像領域１００Ａが透過状態に設定される。
【００５８】
これに対して、互いに同電位の電圧が、第２の上側電極１１６Ｂと、第２の下側電極１１７Ｂ、第３の下側電極１１７Ｃおよび第４の下側電極１１７Ｄと、の間に印加されることになる。そのため、図５（ａ）および図５（ｂ）に表したように、第２の上側電極１１６Ｂと、第２の下側電極１１７Ｂ、第３の下側電極１１７Ｃおよび第４の下側電極１１７Ｄと、の間の領域、すなわち画像領域１００Ａの周辺に設けられた非画像領域１００Ｂが常に非透過状態に設定される。
【００５９】
図５（ａ）〜図５（ｃ）に表した例によれば、比較的小さい円形の画像２０１を表示領域２００Ａの内側に表示させることができる。これにより、例えば車両の自動運転中の最低限表示モード時に、図５（ｃ）に表した画像２０１を表示領域２００Ａの内側に表示させることができる。また、図４（ａ）〜図４（ｂ）に関して前述した効果と同様の効果が得られる。
【００６０】
図６は、上側透明電極と、下側透明電極と、液晶表示装置と、の関係のさらに他の例を表す模式的平面図である。
図６（ａ）は、上側透明電極を表す模式的平面図である。図６（ｂ）は、下側透明電極を表す模式的平面図である。図６（ｃ）は、液晶表示装置の第２の表示例を表す模式的平面図である。
【００６１】
図６（ａ）〜図６（ｃ）に表した第２の表示例では、図６（ａ）に示すように、第２の上側電極１１６Ｂに第１の電圧Ｖ１が印加されている。図６（ｂ）に示すように、図示左側では、第１の下側電極１１７Ａに第２の電圧Ｖ２が印加され、中央では第４の下側電極１１７Ｄに第２の電圧Ｖ２が印加され、右側では、第１の下側電極１１７Ａと第３の下側電極１１７Ｃに第２の電圧が印加されている。また、図示左側の第３の下側電極１１７Ｃと第２の下側電極１１７Ｂに、第１の電圧Ｖ１が印加されている。
【００６２】
この場合には、第２の上側電極１１６Ｂと左側の第１の下側電極１１７Ａとの間、第２の上側電極１１６Ｂと中央の第４の下側電極１１７Ｄとの間、さらに第２の上側電極１１６Ｂと右側の第１の下側電極１１７Ａおよび第３の下側電極１１７Ｃとの間が、異なる電位に設定されることになる。そのため、図６（ｃ）に示す画像２０１に対向する画像領域１００Ａで液晶シャッタ１００が透過状態に設定される。
【００６３】
これに対して、互いに同電位の電圧が、第２の上側電極１１６Ｂと第２の下側電極１１７Ｂとの間、および図示左側の第３の下側電極１１７Ｃに印加されることになる。そのため、図６（ｃ）に示す画像２０１に対応する以外の領域では、液晶シャッタ１００が非透過状態に設定される。
【００６４】
図６（ａ）〜図６（ｃ）に表した第２の例によれば、比較的大きい画像２０１を表示領域２００Ａの中央および右側の部分に表示させることができる。また、比較的小さい画像２０１を表示領域２００Ａの左側の部分に表示させることができる。これにより、例えば車両の半自動運転中の簡易表示モード時に、図６（ｃ）に表した画像２０１を表示領域２００Ａの内側に表示させることができる。また、図４（ａ）〜図４（ｂ）に関して前述した効果と同様の効果が得られる。
【００６５】
図７は、上側透明電極と、下側透明電極と、液晶表示装置と、の関係のさらに他の例を表す模式的平面図である。
【００６６】
図７（ａ）は、上側透明電極を表す模式的平面図である。図７（ｂ）は、下側透明電極を表す模式的平面図である。図７（ｃ）は、液晶表示装置の第３の表示例を表す模式的平面図である。
【００６７】
図７（ａ）〜図７（ｃ）に表した第３の表示例では、第２の上側電極１１６Ｂに第１の電圧Ｖ１が印加されており、図７（ｂ）に示すように、第２の下側電極１１７Ｂに第１の電圧Ｖ１が印加され、それ以外の全ての下側電極１１７Ａ，１１７Ａ，１１７Ｃ，１１７Ｃ，１１７Ｄに第２の電圧Ｖ２が印加されている。
【００６８】
すると、互いに電位差を有する電圧が、第２の上側電極１１６Ｂと、２つの第１の下側電極１１７Ａ、２つの第３の下側電極１１７Ｃおよび第４の下側電極１１７Ｄと、の間に印加される。そのため、図７（ｃ）に示す全ての画像２０１の形状に対応する画像領域１００Ａにおいて液晶シャッタ１００が透過状態に設定される。
【００６９】
これに対して、互いに同電位の電圧が、第２の上側電極１１６Ｂと、第２の下側電極１１７Ｂと、の間に印加されることになる。そのため、図７（ｃ）に示すように、画像２０１以外の領域で、液晶シャッタ１００が非透過状態に設定される。
【００７０】
図７（ａ）〜図７（ｃ）に表した例によれば、比較的大きい画像２０１を表示領域２００Ａの内側に表示させることができる。これにより、例えば車両のスポーツ運転表示モード時に、図７（ｃ）に表した画像２０１を表示領域２００Ａの内側に表示させることができる。また、図４（ａ）〜図４（ｂ）に関して前述した効果と同様の効果が得られる。
【００７１】
なお、車両のエンジンを停止させたときは、第２の上側電極１１６Ｂと、全ての下側電極１１７Ａ，１１７Ａ，１１７Ｂ，１１７Ｃ，１１７Ｃ，１１７Ｄが同じ電位に設定され、表示画面の全体で液晶シャッタ１００が不透過状態になる。
【００７２】
図８は、上側透明電極と、下側透明電極と、液晶表示装置と、の関係のさらに他の例を表す模式的平面図である。
【００７３】
図８（ａ）は、上側透明電極を表す模式的平面図である。図８（ｂ）は、下側透明電極を表す模式的平面図である。図８（ｃ）は、液晶表示装置の表示例を表す模式的平面図である。図８（ｃ）に表した画像２０１は、図４（ｃ）に表した画像２０１と同じである。
【００７４】
図８（ａ）に表したように、上側透明電極１１６は、液晶層１１１の一方の側において画像領域１００Ａに設けられ、第１の上側電極１１６Ａを有する。一方で、非画像領域１００Ｂには、上側透明電極１１６が設けられていない部分が存在する。図８（ｂ）に表したように、下側透明電極１１７は、液晶の他方の側において画像領域１００Ａに設けられ、第１の下側電極１１７Ａを有する。一方で、非画像領域１００Ｂには、下側透明電極１１７が設けられていない部分が存在する。
【００７５】
図４（ａ）〜図４（ｃ）に関して前述したように、上側透明電極１１６および下側透明電極１１７の画像領域１００Ａには、互いに同電位の電圧と、所定の周波数および互いに電位差を有する電圧と、が選択的に印加される。これにより、画像領域１００Ａは、透過状態または非透過状態に設定される。一方で、非画像領域１００Ｂには、上側透明電極１１６および下側透明電極１１７が設けられていない部分が存在する。上側透明電極１１６および下側透明電極１１７が設けられていない部分には電圧が印加されないため、その部分に対応する液晶層１１１は駆動しない。そのため、上側透明電極１１６および下側透明電極１１７が設けられていない部分には、黒色が表示される。他の構造は、図４（ａ）〜図４（ｃ）に表した例に関して前述した通りである。
【００７６】
図８（ａ）に表したように、第１の電圧Ｖ１が第１の上側電極１１６Ａに印加される。一方で、図８（ｂ）に表したように、第２の電圧Ｖ２が第１の下側電極１１７Ａに印加される。すると、互いに電位差を有する電圧が、第１の上側電極１１６Ａと第１の下側電極１１７Ａとの間に印加されることになる。そのため、図８（ａ）および図８（ｂ）に表したように、第１の上側電極１１６Ａと第１の下側電極１１７Ａとの間の領域、すなわち画像２０１の形状に対応する画像領域１００Ａが透過状態に設定される。
【００７７】
これに対して、上側透明電極１１６および下側透明電極１１７が設けられていない部分、すなわち画像領域１００Ａの周辺に設けられた非画像領域１００Ｂには、黒色が表示される。
【００７８】
また、車両のエンジン停止時には、上側透明電極１１６および下側透明電極１１７が接地電位などに設定される。これにより、表示領域の全域が不透過状態に設定される。
【００７９】
本実施形態に係る表示装置１０によれば、非画像領域１００Ｂには、上側透明電極１１６および下側透明電極１１７が設けられていない部分が存在する。上側透明電極１１６および下側透明電極１１７が設けられていない部分には電圧が印加されないため、その部分に対応する液晶層１１１は駆動しない。そのため、上側透明電極１１６および下側透明電極１１７が設けられていない部分には、黒色が表示される。これにより、黒色の表示領域２００Ａの中に液晶表示装置２００が表示する画像２０１を浮き立たせることができる。また、上側透明電極１１６および下側透明電極１１７が設けられていない部分が存在するため、上側透明電極１１６と下側透明電極１１７との間の静電容量を抑えることができる。また、図４（ａ）〜図４（ｂ）に関して前述した効果と同様の効果が得られる。
【００８０】
また、第１の上側電極１１６Ａの引出し配線５０１と、第１の下側電極１１７Ａの引出し配線５０２は互いに重ならないように配置されている。引出し配線５０１は液晶層１１１を挟んで対向する電極が存在しておらず、引出し配線５０２も液晶層１１１を挟んで対向する電極が存在していないので、引出し配線５０１，５０２が形成されている領域は液晶シャッタ１００が不透過領域であり、引出し配線５０１，５０２が前方から見えることがない。
【００８１】
図９は、上側透明電極と、下側透明電極と、液晶表示装置と、の関係のさらに他の例を表す模式的平面図である。
【００８２】
図９（ａ）は、上側透明電極を表す模式的平面図である。図９（ｂ）は、下側透明電極を表す模式的平面図である。図９（ｃ）は、液晶表示装置の第１の表示例を表す模式的平面図である。図９（ｃ）に表した画像２０１は、図５（ｃ）に表した画像２０１と同じである。
【００８３】
図９（ａ）に表したように、上側透明電極１１６は、液晶の一方の側において画像領域１００Ａに設けられ、第１の上側電極１１６Ａと、第２の上側電極１１６Ｂと、を有する。一方で、非画像領域１００Ｂには、上側透明電極１１６が設けられていない部分が存在する。
【００８４】
図９（ｂ）に表したように、下側透明電極１１７は、液晶の他方の側において画像領域１００Ａに設けられ、第１の下側電極１１７Ａと、第２の下側電極１１７Ｂと、第３の下側電極１１７Ｃと、を有する。一方で、非画像領域１００Ｂには、下側透明電極１１７が設けられていない部分が存在する。
【００８５】
図９（ｂ）に表したように、第１の電圧Ｖ１が第２の下側電極１１７Ｂおよび第３の下側電極１１７Ｃに印加される。また、第２の電圧Ｖ２が第１の下側電極１１７Ａに印加される。すると、互いに電位差を有する電圧が、第１の上側電極１１６Ａと第１の下側電極１１７Ａとの間に印加されることになる。そのため、図９（ａ）および図９（ｂ）に表したように、第１の上側電極１１６Ａと第１の下側電極１１７Ａとの間の領域、すなわち画像２０１の形状に対応する画像領域１００Ａが透過状態に設定される。
【００８６】
これに対して、互いに同電位の電圧が、第１の上側電極１１６Ａと第２の下側電極１１７Ｂとの間、および第２の上側電極１１６Ｂと第３の下側電極１１７Ｃとの間に印加されることになる。そのため、図９（ａ）および図９（ｂ）に表したように、第１の上側電極１１６Ａと第２の下側電極１１７Ｂとの間、および第２の上側電極１１６Ｂと第３の下側電極１１７Ｃとの間の領域、すなわち画像領域１００Ａの周辺に設けられた非画像領域１００Ｂが常に非透過状態に設定される。また、上側透明電極１１６および下側透明電極１１７が設けられていない部分には、黒色が表示される。
【００８７】
図９（ａ）〜図９（ｃ）に表した例によれば、比較的小さい画像２０１を表示領域２００Ａの内側に表示させることができる。これにより、例えば車両の自動運転中の最低限表示モード時に、図９（ｃ）に表した画像２０１を表示領域２００Ａの内側に表示させることができる。また、図８（ａ）〜図８（ｂ）に関して前述した効果と同様の効果が得られる。
【００８８】
図１０は、上側透明電極と、下側透明電極と、液晶表示装置と、の関係のさらに他の例を表す模式的平面図である。
【００８９】
図１０（ａ）は、上側透明電極を表す模式的平面図である。図１０（ｂ）は、下側透明電極を表す模式的平面図である。図１０（ｃ）は、液晶表示装置の第２の表示例を表す模式的平面図である。図１０（ｃ）に表した画像２０１は、図６（ｃ）に表した画像２０１と同じである。
【００９０】
図１０（ａ）〜図１０（ｃ）に表した例では、上側透明電極１１６および下側透明電極１１７の構造は、図９（ａ）および図９（ｂ）に関して前述した上側透明電極１１６および下側透明電極１１７の構造とそれぞれ同じである。図９（ｂ）に表した例では、第１の電圧Ｖ１が第２の下側電極１１７Ｂおよび第３の下側電極１１７Ｃに印加されていることに対して、図１０（ｂ）に表した例では、第２の電圧Ｖ２が一方側（図１０（ｂ）では右側）の第２の下側電極１１７Ｂおよび第３の下側電極１１７Ｃに印加されている。他の構造および他の電圧印加状態は、図９（ａ）〜図９（ｃ）に表した例に関して前述した通りである。
【００９１】
すると、互いに電位差を有する電圧が、第１の上側電極１１６Ａと、第１の下側電極１１７Ａおよび一方側（図１０（ｂ）では右側）の第２の下側電極１１７Ｂと、の間、および第２の上側電極１１６Ｂと、第３の下側電極１１７Ｃと、の間に印加されることになる。そのため、図１０（ａ）および図１０（ｂ）に表したように、第１の上側電極１１６Ａと、第１の下側電極１１７Ａおよび一方側（図１０（ｂ）では右側）の第２の下側電極１１７Ｂと、の間、および第２の上側電極１１６Ｂと、第３の下側電極１１７Ｃと、の間の領域、すなわち画像２０１の形状に対応する画像領域１００Ａが透過状態に設定される。
【００９２】
これに対して、互いに同電位の電圧が、第１の上側電極１１６Ａと、他方側（図１０（ｂ）では左側）の第２の下側電極１１７Ｂと、の間に印加されることになる。そのため、図１０（ａ）および図１０（ｂ）に表したように、第１の上側電極１１６Ａと、他方側（図１０（ｂ）では左側）の第２の下側電極１１７Ｂと、の間の領域、すなわち画像領域１００Ａの周辺に設けられた非画像領域１００Ｂが常に非透過状態に設定される。また、上側透明電極１１６および下側透明電極１１７が設けられていない部分には、黒色が表示される。
【００９３】
図１０（ａ）〜図１０（ｃ）に表した例によれば、比較的大きい画像２０１を表示領域２００Ａの中央および右側の部分に表示させることができる。また、比較的小さい画像２０１を表示領域２００Ａの左側の部分に表示させることができる。これにより、例えば車両の半自動運転中の簡易表示モード時に、図１０（ｃ）に表した画像２０１を表示領域２００Ａの内側に表示させることができる。また、図８（ａ）〜図８（ｂ）に関して前述した効果と同様の効果が得られる。
【００９４】
図１１は、上側透明電極と、下側透明電極と、液晶表示装置と、の関係のさらに他の例を表す模式的平面図である。
【００９５】
図１１（ａ）は、上側透明電極を表す模式的平面図である。図１１（ｂ）は、下側透明電極を表す模式的平面図である。図１１（ｃ）は、液晶表示装置の第３の表示例を表す模式的平面図である。図１１（ｃ）に表した画像２０１は、図７（ｃ）に表した画像２０１と同じである。
【００９６】
図１１（ａ）〜図１１（ｃ）に表した例では、上側透明電極１１６および下側透明電極１１７の構造は、図９（ａ）および図９（ｂ）に関して前述した上側透明電極１１６および下側透明電極１１７の構造とそれぞれ同じである。図９（ｂ）に表した例では、第１の電圧Ｖ１が第２の下側電極１１７Ｂおよび第３の下側電極１１７Ｃに印加されていることに対して、図１０（ｂ）に表した例では、第２の電圧Ｖ２が第２の下側電極１１７Ｂおよび第３の下側電極１１７Ｃに印加されている。他の構造および他の電圧印加状態は、図９（ａ）〜図９（ｃ）に表した例に関して前述した通りである。
【００９７】
すると、互いに電位差を有する電圧が、第１の上側電極１１６Ａと、第１の下側電極１１７Ａおよび第２の下側電極１１７Ｂと、の間、および第２の上側電極１１６Ｂと、第３の下側電極１１７Ｃと、の間に印加されることになる。そのため、図１１（ａ）および図１１（ｂ）に表したように、第１の上側電極１１６Ａと、第１の下側電極１１７Ａおよび第２の下側電極１１７Ｂと、の間、および第２の上側電極１１６Ｂと、第３の下側電極１１７Ｃと、の間の領域、すなわち画像２０１の形状に対応する画像領域１００Ａが透過状態に設定される。
【００９８】
これに対して、互いに同電位の電圧が印加される電極は、存在しない。そして、上側透明電極１１６および下側透明電極１１７が設けられていない部分には、黒色が表示される。
【００９９】
図１１（ａ）〜図１（ｃ）に表した例によれば、比較的大きい画像２０１を表示領域２００Ａの内側に表示させることができる。これにより、例えば車両のスポーツ運転表示モード時に、図１１（ｃ）に表した画像２０１を表示領域２００Ａの内側に表示させることができる。また、図８（ａ）〜図８（ｂ）に関して前述した効果と同様の効果が得られる。
【０１００】
また、各透明電極の引出し配線に、対向する電極が存在しないので、引出し配線の部分は液晶シャッタ１０が不透過状態となる。
【０１０１】
なお、車両のエンジンが停止すると、全ての透明電極が接地電位などに設定され、表示画面全体が不透過状態となる。
【０１０２】
なお、前記実施の形態では、液晶シャッタ１００が液晶層１１１を挟んで上側透明電極１１６と下側透明電極１１７を有し、上側透明電極１１６が複数の上側電極１１６Ａ，１１６Ｂに区分され、下側透明電極１１７が複数の下側電極１１７Ａ，１１７Ｂ，１１７Ｃ，１１７Ｄに区分されている。ここでの上側と下側は透明電極を区別するための相対的な呼び方にすぎず、必ずしも液晶表示装置２００との位置関係を示しているものではない。よって、図１において、液晶表示装置２００に対面する側に上側透明電極１１６が向けられ、液晶表示装置２００と逆側に下側透明電極１１７が向けられていてもよい。
【０１０３】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【０１０４】
１０  表示装置
１００  液晶シャッタ
１００Ａ  画像領域
１００Ｂ  非画像領域
１１０  シャッタ液晶セル
１１１  液晶層
１１２  上側配向膜
１１３  下側配向膜
１１４  上側オーバーコート層
１１５  下側オーバーコート層
１１６  上側透明電極
１１６Ａ  第１の上側電極
１１６Ｂ  第２の上側電極
１１７  下側透明電極
１１７Ａ  第１の下側電極
１１７Ｂ  第２の下側電極
１１７Ｃ  第３の下側電極
１１７Ｄ  第４の下側電極
１１８  上側ガラス
１１９  下側ガラス
１２０  第１の偏光板
１３０  第２の偏光板
１４０  表面処理層
２００  液晶表示装置
２００Ａ  表示領域
２００Ｂ  非表示領域
２０１  画像
２１０  グラフィック液晶セル
２２０  第１の偏光板
２３０  第２の偏光板
２４０  バックライト
３１０  交流化電源
３２０  電源
３３０  電源
４００  オプティカルカップリング
Ｖ１  第１の電圧
Ｖ２  第２の電圧
【図１】
2017142327.tif 000003
【図２】
2017142327.tif 000004
【図３】
2017142327.tif 000005
【図４】
2017142327.tif 000006
【図５】
2017142327.tif 000007
【図６】
2017142327.tif 000008
【図７】
2017142327.tif 000009
【図８】
2017142327.tif 000010
【図９】
2017142327.tif 000011
【図１０】
2017142327.tif 000012
【図１１】
2017142327.tif 000013